(57)【要約】【課題】  １つのスイッチで多数の処理を選択して実行できるようにすること。【解決手段】  スイッチ１０１が長押しされたことを検出すると、モード変更状態へ移行してモードの変更を可能とする。この状態で、スイッチ１０１が短押しされると、現在仮選択中のモードを次のモードに変更する。また、モード変更状態で所定時間以上スイッチ１０１が操作されない場合は、現在仮選択中のモードに決定する。モードが決定されている状態で、使用者によってスイッチ１０１が短押しされると、当該モードに基づいて処理を実行する。【選択図】      図１
2006080874.tif 000002
【特許請求の範囲】
【請求項１】
操作スイッチの操作により、接続されている機器の動作を制御する機器操作装置であって、
一つの操作スイッチのオン、およびオフを検出する検出手段と、
前記検出手段で操作スイッチのオンが検出されたとき、そのオン状態の継続時間、および前記検出手段で操作スイッチのオフが検出されたとき、そのオフ状態の継続時間を計測する計測手段と、
前記計測手段で計測された操作スイッチのオン状態の継続時間、およびオフ状態の継続時間に基づいて、前記機器を制御する制御手段とを備え、
前記制御手段は、
（１）前記機器の制御内容が決定されている状態で、前記計測手段によって計測された操作スイッチのオン状態の継続時間が第１の所定時間よりも長い場合には、前記機器の制御内容を変更可能な状態に変更し、
（２）前記機器の制御内容が決定されている状態で、前記計測手段によって計測された操作スイッチのオン状態の継続時間が前記第１の所定時間よりも短い場合には、決定されている制御内容で前記機器を制御し、
（３）前記機器の制御内容を変更可能な状態では、前記計測手段によって計測された操作スイッチのオフ状態の継続時間に基づいて、前記機器の制御内容を変更または決定することを特徴とする機器操作装置。
【請求項２】
請求項１に記載の機器操作装置において、
前記制御手段は、
前記機器の制御内容が決定されている状態から前記機器の制御内容を変更可能な状態に変更されたときは、前記決定されていた制御内容を現在仮に選択されている制御内容とし、
前記機器の制御内容を変更可能な状態では、前記計測手段によって計測された操作スイッチのオフ状態の継続時間が第２の所定時間よりも長い場合には、現在仮に選択されている制御内容を前記機器の制御内容として決定し、前記計測手段によって計測された操作スイッチのオフ状態の継続時間が第２の所定時間よりも短い場合には、現在仮に選択されている制御内容を次に仮に選択可能な制御内容に変更することを特徴とする機器操作装置。
【請求項３】
請求項１または２に記載の機器操作装置において、
前記操作手段による操作の状況を表示する表示手段をさらに備え、
前記表示手段は、前記現在決定されている制御内容は有効化して表示し、現在決定されていない制御内容は無効化して表示し、前記現在仮に選択されている制御内容は有効化、および無効化を繰り返して表示することを特徴とする機器操作装置。
【発明の詳細な説明】
【技術分野】
【０００１】
本発明は、機器を操作するための機器操作装置に関する。
【背景技術】
【０００２】
「原稿の排出」、および「ステージの固定位置移動」の２つ処理を１つのスイッチに割り当て、1つのスイッチの押下時間を変化させることによって２つの処理が可能な装置が特許文献１によって知られている。
【０００３】
【特許文献１】特開平８−２２８２５６号公報
【発明の開示】
【発明が解決しようとする課題】
【０００４】
しかしながら、従来の装置においては、２つの操作をスイッチの押下時間の違いによって切り替えるため、１つのスイッチで操作可能な処理の数は限られてしまうという問題が生じていた。
【課題を解決するための手段】
【０００５】
請求項１に記載の発明は、操作スイッチの操作により、接続されている機器の動作を制御する機器操作装置であって、一つの操作スイッチのオン、およびオフを検出する検出手段と、検出手段で操作スイッチのオンが検出されたとき、そのオン状態の継続時間、および検出手段で操作スイッチのオフが検出されたとき、そのオフ状態の継続時間を計測する計測手段と、計測手段で計測された操作スイッチのオン状態の継続時間、およびオフ状態の継続時間に基づいて、機器を制御する制御手段とを備え、制御手段は、（１）機器の制御内容が決定されている状態で、計測手段によって計測された操作スイッチのオン状態の継続時間が第１の所定時間よりも長い場合には、機器の制御内容を変更可能な状態に変更し、（２）機器の制御内容が決定されている状態で、計測手段によって計測された操作スイッチのオン状態の継続時間が前記第１の所定時間よりも短い場合には、決定されている制御内容で機器を制御し、（３）機器の制御内容を変更可能な状態では、計測手段によって計測された操作スイッチのオフ状態の継続時間に基づいて、機器の制御内容を変更または決定することを特徴とする。
請求項２に記載の発明は、請求項１に記載の機器操作装置において、制御手段は、機器の制御内容が決定されている状態から機器の制御内容を変更可能な状態に変更されたときは、決定されていた制御内容を現在仮に選択されている制御内容とし、機器の制御内容を変更可能な状態では、計測手段によって計測された操作スイッチのオフ状態の継続時間が第２の所定時間よりも長い場合には、現在仮に選択されている制御内容を機器の制御内容として決定し、計測手段によって計測された操作スイッチのオフ状態の継続時間が第２の所定時間よりも短い場合には、現在仮に選択されている制御内容を次に仮に選択可能な制御内容に変更することを特徴とする。
請求項３に記載の発明は、請求項１または２に記載の機器操作装置において、操作手段による操作の状況を表示する表示手段をさらに備え、表示手段は、現在決定されている制御内容は有効化して表示し、現在決定されていない制御内容は無効化して表示し、現在仮に選択されている制御内容は有効化、および無効化を繰り返して表示することを特徴とする。
【発明の効果】
【０００６】
本発明によれば、操作スイッチの押下時間が所定時間より長い場合は、機器の制御内容を変更できるようにし、変更した制御内容で機器を制御できるようにした。これによって、多数の制御内容の中から実行したい制御内容を１つの操作スイッチで決定して機器を制御できるようにすることができる。
【発明を実施するための最良の形態】
【０００７】
本実施の形態における機器操作装置は、各種機器に搭載され、使用者によって決定された機器操作装置の操作内容に応じて各種機器の動作を制御する。図１は、本実施の形態における機器操作装置を、画像読取装置に搭載した場合の具体例を示す図である。画像読取装置２００は、フィルムリーダー２０１でフィルム２０５ａを読み取り、読み取った画像をメモリカードスロット２０２を介してメモリカードに保存したり、ＤＶＤドライブ２０３を介してＤＶＤに保存したりできる。また、モニタ２０４には、読み取った画像が出力される。フィルムリーダー２０１のフィルム挿入口２０５の上部には、機器操作装置１００が搭載されており、使用者は機器操作装置１００を操作することによって、後述するように画像の読み取り方法を設定することができる。
【０００８】
図２は、本実施の形態における機器操作装置１００の一実施の形態の構成例を示すブロック図である。機器操作装置１００は、使用者によって操作されるスイッチ１０１と、ＭＣＵ（マイクロコントローラユニット）１０２と、複数のＬＥＤを有する表示装置１０３とを備えている。ＭＣＵ１０２は、ＣＰＵ１０２ａと、タイマ１０２ｂと、ＲＡＭ１０２ｃと、ＲＯＭ１０２ｄと、入力ポート１０２ｅと、出力ポート１０２ｆとを有している。入力ポート１０２ｅを介してスイッチ１０１が接続されており、出力ポート１０２ｆを介して表示装置１０３と、画像読取装置２００の制御回路とが接続されている。
【０００９】
ＣＰＵ１０２ａは、ＲＯＭ１０２ｄに記憶したプログラムを読み込んで、ＲＡＭ１０２ｃを作業エリアとして以下の処理を行う。すなわち、入力ポート１０２ｅを介してスイッチ１０１から入力される信号を検出し、タイマ１０２ｂによってスイッチ１０１からの入力信号の検出を開始してから検出しなくなるまでの時間、すなわち使用者によってスイッチ１０１が押下されている時間を検出する。検出したスイッチ押下時間に基づいて、使用者によってスイッチが短押しされたか、長押しされたかを判断する。なお、本実施の形態においては、ＣＰＵ１０２ａは、使用者によるスイッチ１０１の押下時間が所定時間ｔ１未満であった場合には、スイッチ１０１は短押しされたと判断し、所定時間ｔ１以上であった場合には、長押しされたと判断する。
【００１０】
そして、この判断結果に基づいて、出力ポート１０２ｆに接続された表示装置１０３、および画像読取装置２００を制御する。すなわち、後述するように、画像読取装置２００における画像の読み取り方法を設定し、その設定状況を表示装置１０３のＬＥＤを個別に点灯、消灯、および点滅させることによって使用者に通知する。
【００１１】
本実施の形態では、画像読取装置２００による画像の読み取り方法には、以下の（１）〜（４）の４つのモードがある。
（１）無加工読み取りモード
無加工読み取りモードは、フィルムリーダー２０１で読み取った画像を、加工せず生データのままＤＶＤやメモリカード（以下、これらを「記憶媒体」と呼ぶ）に保存するモードである。
（２）標準処理読み取りモード
標準処理読み取りモードは、フィルムリーダー２０１で読み取った画像を、あらかじめ設定した標準的な明るさや色に調整して記憶媒体に保存するモードである。
（３）自動補正読み取りモード
自動補正読み取りモードは、フィルムリーダー２０１で読み取った画像を、あらかじめ設定した鮮やかに見える明るさや色に調整して記憶媒体に保存するモードである。
（４）古いフィルム読み取りモード
古いフィルム読み取りモードは、フィルムリーダー２０１で読み取った退色したフィルムの画像を、退色前の状態に復元して記憶媒体に保存するモードである。
【００１２】
使用者によって、（１）〜（４）の各モードが選択可能なように、本実施の形態における機器操作装置１００は、図３に示すようなユーザーインタフェースで構成されている。すなわち、上述した（１）〜（４）の各モードに対応した４つのＬＥＤ１１１〜１１４を表示装置１０３に設け、現在選択されているモードに対応したＬＥＤ１１３が点灯し、選択されていないモードに対応したＬＥＤ１１１、１１２、および１１４は消灯することによって、使用者にモードの選択状況を通知する。そして、使用者はスイッチ１０１を使用して、以下に説明するようにモードを選択して実行する。
【００１３】
例えば、現在選択されているモードが無加工読み取りモードであるとき、使用者がスイッチ１０１を短押しした場合には、現在選択されているモードを実行する。すなわち、フィルムリーダー２０１は、無加工読み取りモードでフィルム挿入口２０５に挿入されている画像を読み取って、記憶媒体に記憶する。これに対して、使用者がスイッチ１０１を長押しした場合には、モード変更状態へ移行する。モード変更状態とは、上述した（１）〜（４）のモードを切り替え可能な状態、すなわちモードを変更可能な状態であり、モード変更状態に移行した場合には、現在選択されているモードに対応したＬＥＤは点滅し、このモードは仮選択中のモードとなる。
【００１４】
この状態で、使用者がスイッチ１０１を押下した場合には、図４にモード遷移図を示すように、仮選択中のモードが上述した（１）〜（４）の順番に次のモードに変更される。例えば、現在仮選択中のモードが（１）の無加工読み取りモードであれば、仮選択中のモードが（２）の標準処理読み取りモードに変更される。ＬＥＤが点滅した状態で、使用者が継続してスイッチ１０１の押下を繰り返した場合には、仮選択中のモードは（３）→（４）のように変化し、（４）の状態でスイッチ１０１が押下されると、再度（１）に戻り、仮選択中のモードが次々と切り替わる。
【００１５】
そして、ＬＥＤが点滅した状態、すなわちモード変更状態において、使用者がスイッチ１０１を所定時間ｔ２以上操作しないと、現在仮選択中のモードが確定され、当該モードが現在選択されているモードとなって、対応するＬＥＤが点灯状態となる。このように、使用者はスイッチ１０１の短押しと長押しとを使い分けることによって、モードを変更することができる。なお、モードの変更後に使用者がスイッチ１０１を短押しすると、上述したように変更後の現在選択されているモードに基づいて画像読取装置２００を制御し、当該モードに基づいた画像の読み取りを実行する。
【００１６】
図５は、本実施の形態における画像読取装置２００に搭載した機器操作装置１００の動作を示すフローチャートである。図５に示す処理は、画像読取装置２００の電源がオンされると起動するプログラムとしてＣＰＵ１０２ａによって実行される。ステップＳ１０において、前回電源オフ時に選択されていたモードを現在選択されているモードに設定して、対応するモードのＬＥＤを点灯させてステップＳ２０へ進む。ステップＳ２０では、使用者によってスイッチ１０１がオンされたか否かを判断する。使用者によってスイッチ１０１がオンされたと判断した場合には、ステップＳ３０へ進む。
【００１７】
ステップＳ３０では、タイマ１０２ｂによって、使用者によるスイッチ押下時間の計測を開始する。その後、ステップＳ４０へ進み、スイッチ押下時間が所定時間ｔ１未満であるか否かを判断する。スイッチ押下時間が所定時間ｔ１以上であると判断した場合には、使用者によるスイッチ１０１の操作は長押しであると判断して、後述するステップＳ９０へ進む。一方、スイッチ押下時間が所定時間ｔ１未満であると判断した場合には、ステップＳ５０へ進む。
【００１８】
ステップＳ５０では、使用者によってスイッチ１０１がオフされたか否かを判断する。使用者によってスイッチ１０１がオフされないと判断した場合には、ステップＳ４０に戻って、処理を繰り返す。これに対して、使用者によってスイッチ１０１がオフされたと判断した場合には、ステップＳ６０へ進み、タイマ１０２ｂによるスイッチ押下時間の計測を終了する。その後、ステップＳ７０へ進み、使用者によるスイッチ１０１の操作は短押しであると判断して、現在選択されているモードを実行して、ステップＳ８０へ進む。
【００１９】
ステップＳ８０では、画像読取装置２００の電源がオフされたか否かを判断し、オフされないと判断した場合には、ステップＳ２０へ戻って処理を繰り返す。一方、画像読取装置２００の電源がオフされたと判断した場合には、処理を終了する。
【００２０】
次に、ステップＳ４０において、使用者によるスイッチ１０１の操作が長押しであると判断した場合の処理について説明する。ステップＳ９０では、タイマ１０２ｂによるスイッチ押下時間の計測を終了して、ステップＳ１００へ進む。ステップＳ１００では、モード変更状態へ移行して、現在選択されているモードを仮選択中のモードとし、仮選択中のモードに対応したＬＥＤを点滅させる。その後、ステップＳ１１０へ進む。
【００２１】
ステップＳ１１０では、使用者によってスイッチ１０１がオフされたか否かを判断する。使用者によってスイッチ１０１がオフされたと判断した場合には、ステップＳ１２０へ進み、タイマ１０２ｂによって使用者によるスイッチ１０１が操作されない時間、すなわちスイッチ無操作時間の計測を開始する。その後、ステップＳ１３０へ進み、スイッチ無操作時間が所定時間ｔ２未満であるか否かを判断する。スイッチ無操作時間が所定時間ｔ２以上であると判断した場合には、ステップＳ１７０へ進み、上述したように現在仮選択中のモードを現在選択されているモードとして確定し、対応するＬＥＤを点灯状態とする。
【００２２】
一方、スイッチ無操作時間が所定時間ｔ２未満であると判断した場合には、ステップＳ４０へ進む。ステップＳ１４０では、使用者によってスイッチ１０１がオンされたか否かを判断する。使用者によってスイッチ１０１がオンされないと判断した場合には、ステップＳ１３０に戻って、処理を繰り返す。これに対して、使用者によってスイッチ１０１がオンされたと判断した場合には、ステップＳ１５０へ進み、タイマ１０２ｂによるスイッチ無操作時間の計測を終了する。その後、ステップＳ１６０へ進み、上述したように仮選択中のモードを次のモードに変更して、ステップＳ１１０に戻る。
【００２３】
上述した本実施の形態によれば、以下のような作用効果を得ることができる。
（１）使用者によるスイッチ１０１の押下時間に基づいて、スイッチ１０１の短押しと長押とを判断する。そして、使用者によってスイッチ１０１が短押しされた場合には、現在選択されているモードを実行し、長押しされた場合には、モード変更状態へ移行してモードの変更を可能とした。さらにモード変更状態では、使用者によるスイッチ１０１の無操作時間を計測して、無操作時間が所定時間以上であれば現在仮選択中のモードを確定し、無操作時間が所定値未満であれば、次のモードを現在仮選択中のモードとすることとした。これによって、１つのスイッチによって画像読取装置２００における画像読み取りモードの設定および切り替え操作が可能となり、操作性を向上させると同時に、機器の構成コストを低減させることができる。
（２）表示装置１０３は複数のＬＥＤを有し、現在選択されているモードに対応するＬＥＤを点灯し、選択されていないモードに対応したＬＥＤを消灯し、モード変更状態に移行した場合には、現在仮選択中のモードに対応するＬＥＤを点灯状態とすることとした。これによって、モードの設定状況を使用者に的確に通知することができる。
【００２４】
―変形例―
なお、以下のように変形することもできる。
（１）上述した実施の形態では、本発明による機器操作装置１００を画像読取装置２００に搭載する例について説明したが、これに限定されず、その他の機器に搭載してもよい。
（２）上述した実施の形態では、画像の読み取りモードを設定するために、機器操作装置１００は図３に示すようなユーザーインタフェースで構成されているものとして説明した。しかし、これに限定されず、例えば、図６や図７に示すように、機器操作装置１００によって設定する内容に応じて、ユーザーインタフェースを変更してもよい。
【００２５】
（３）上述した実施の形態では、表示装置１０３は複数のＬＥＤを有し、各モードに対応してＬＥＤを個別に点灯、消灯、および点滅させることによって使用者にモードの設定状況を通知することとした。しかしこれに限定されず、例えば、各モードに一意の番号を付与し、表示装置１０３は各モードの番号に対応したモード番号を表示する１つの表示部を設け、現在選択されているモードのモード番号を表示部に点灯表示し、現在仮選択中のモードのモード番号を表示部に点滅表示するようにしてもよい。
（４）また、各モード名を表示した背後にバックライトを設け、モードの選択状況に応じて個別にバックライトで点灯、もしくは点滅するようにしてもよい。
（５）また、各モードごとにその設定状況を文字表示する表示部を設け、各表示部に「設定中」あるいは「仮選択中」の文字を表示して、現在のモードの設定状況を使用者に通知してもよい。
【００２６】
特許請求の範囲の構成要素と実施の形態との対応関係について説明する。スイッチ１０１は操作スイッチに、ＣＰＵ１０２ａは検出手段に、タイマ１０２ｂは計測手段に相当する。ＭＣＵ１０２は制御手段に、表示装置１０３は表示手段に、機器は画像読取装置２００に相当する。なお、本発明の特徴的な機能を損なわない限り、本発明は、上述した実施の形態における構成に何ら限定されない。
【図面の簡単な説明】
【００２７】
【図１】機器操作装置を、画像読取装置に搭載した場合の具体例を示す図である。
【図２】機器操作装置１００の一実施の形態の構成例を示すブロック図である。
【図３】本実施の形態における機器操作装置１００のユーザーインタフェースの一例を示した図である。
【図４】画像の読み取りモードのモード遷移を示す図である。
【図５】画像読取装置２００に搭載した機器操作装置１００の動作を示すフローチャート図である。
【図６】機器操作装置１００のユーザーインタフェースの変形例を示した第１の図である。
【図７】機器操作装置１００のユーザーインタフェースの変形例を示した第２の図である。
【符号の説明】
【００２８】
１００  機器操作装置
１０１  スイッチ
１０２  ＭＣＵ
１０２ａ  ＣＰＵ
１０２ｂ  タイマ
１０２ｃ  ＲＡＭ
１０２ｄ  ＲＯＭ
１０２ｅ  入力ポート
１０２ｆ  出力ポート
１０３  表示装置
２００  画像読取装置
２０１  フィルムリーダー
２０２  メモリカードスロット
２０３  ＤＶＤドライブ
２０４  モニタ
２０５  フィルム挿入口
【図１】
2006080874.tif 000003
【図２】
2006080874.tif 000004
【図３】
2006080874.tif 000005
【図４】
2006080874.tif 000006
【図５】
2006080874.tif 000007
【図６】
2006080874.tif 000008
【図７】
2006080874.tif 000009